(57)【要約】【課題】水平方向に固定される場合、二面の壁が対向していなくてもよいし、一方向のみにも限定されず、平坦面の有無に係わらず、隅などの死角空間を有効に利用できる多面突っ張り構造を提供することにある。【解決手段】外筒１ａ及び内筒１ｂからなり伸縮自在で両端面に対向する他物の各面、即ち第一面及び第二面に突っ張って固定されうる両端突っ張り棒１と、それぞれの外筒２ａ，３ａが内筒２ｂ，３ｂとからなる一端が両端突っ張り棒の長寸方向に沿って摺動可能で、他端に対向する各面に圧接されて密着しうる圧接部を有し、それぞれ第三面及び第四面に対して突っ張ることにより両端突っ張り棒と各面との間に固定されうる伸縮自在な片端突っ張り棒２，３とを備えることを特徴とする。【選択図】図１
2005342488.tif 000002
【特許請求の範囲】
【請求項１】
伸縮自在で両端面に対向する他物の各面に突っ張って固定されうる両端突っ張り棒と、一端が両端突っ張り棒の長寸方向に沿って摺動可能で、他端に対向する各面に圧接されて密着しうる圧接部を有し、それぞれ第三面及び第四面に対して突っ張ることにより両端突っ張り棒と第三面及び第四面との間に固定されうる伸縮自在な片端突っ張り棒２本とを備えることを特徴とする四面突っ張り構造。
【請求項２】
伸縮自在で両端面に対向する他物の各面に突っ張って固定されうる両端突っ張り棒と、一端が両端突っ張り棒の長寸方向に沿って摺動可能で、他端に対向する各面に圧接されて密着しうる圧接部を有し、それぞれ第三面、第四面及び第五面に対して突っ張ることにより両端突っ張り棒と第三面、第四面及び第五面との間に固定されうる伸縮自在な片端突っ張り棒３本とを備えることを特徴とする五面突っ張り構造。
【請求項３】
伸縮自在で両端面に対向する他物の各面に突っ張って固定されうる両端突っ張り棒と、一端が両端突っ張り棒の長寸方向に沿って摺動可能で、他端に対向する各面に圧接されて密着しうる圧接部を有し、それぞれ第三面、第四面、第五面及び第六面に対して突っ張ることにより両端突っ張り棒と第三面、第四面、第五面及び第六面との間に固定されうる伸縮自在な片端突っ張り棒４本とを備えることを特徴とする六面突っ張り構造。
【発明の詳細な説明】
【技術分野】
【０００１】  この発明は、天井などの上面及び床などの下面とこれら二面に直交する二つ以上の壁面を利用して固定しうる多面突っ張り構造に属し、部屋、押し入れ、台所などの各場所にて好適に利用されうる。
【背景技術】
【０００２】  突っ張り棒は、一般に伸縮自在な棒ないし筒と、伸長方向に力を付与するコイルバネあるいは所定の長さに決めるストッパーなどを組み合わせ、天井と床、押し入れ内の左右壁などの対向する二面に突っ張ることにより、固定されるものである。そして、天井と床との間に固定される場合は、途中に棚などが取り付けられるし（特許文献１の図１）、左右壁に固定される場合は、小物や衣類等を吊すことができる。また、左右に鉛直方向の壁が存在しない環境で水平方向に棒を固定したい場合は、先ず２本の突っ張り棒をそれぞれ上下面に突っ張って固定し、それらの２本の突っ張り棒に第三の棒を水平に固定する構造が提案されている（特許文献２）。
【特許文献１】実用新案登録第３０１３２２８
【特許文献２】特開平９−３０３３６６
【特許文献３】特開２００１−１１２６０２
【発明の開示】
【発明が解決しようとする課題】
【０００３】  しかし、左右壁などに水平方向に固定される場合は、左右に鉛直方向の壁が存在し、かつ対向する二面の距離に合わせた寸法の突っ張り棒が必要となる。また、対向する二面の間に固定されるため、固定される棒は一方向のみに限定される。さらに特許文献２のように鉛直方向の２本の突っ張り棒に第三の棒を水平に固定する場合は、２本の鉛直方向の突っ張り棒を固定する平坦な面が上下４個所に必要となる。従って、固定しようとする場所に異物や凹部が存在するなどのように平坦面が無ければ設置不可能であるし、狭い隅に固定すれば隅側の突っ張り棒によって利用空間が更に狭められてかえって快適さを損なう。
この発明の課題は、左右壁などに水平方向に固定される場合、二面の壁が対向していなくてもよいし、一方向のみにも限定されず、平坦面の有無に係わらず、隅などの死角空間を有効に利用できる多面突っ張り構造を提供することにある。
【課題を解決するための手段】
【０００４】  その課題を解決するために、この発明の多面突っ張り構造は、伸縮自在で両端面に対向する他物の各面に突っ張って固定されうる両端突っ張り棒と、一端が両端突っ張り棒の長寸方向に沿って摺動可能で、他端に対向する各面に圧接されて密着しうる圧接部を有し、第三面から第六面のいずれかに対して突っ張ることにより両端突っ張り棒と各面との間に固定されうる伸縮自在な片端突っ張り棒とを備えることを特徴とする。対向する他物の各面とは、第一面及び第二面であり、例えば天井面と床面、あるいは左右もしくは前後の壁面などである。第三面から第六面とは、他物の各面が天井面と床面の場合は例えば左右前後のいずれかの壁面、他物の各面が左右の場合は前後の壁面または天井面床面、また前後の壁面の場合は左右の壁面もしくは天井面床面である。
この突っ張り構造によれば、先ず両端突っ張り棒は、両端面に対向する他物の各面のどこかに平坦面があればそこに突っ張って固定されうる。両端突っ張り棒は通常、外筒及びこれに嵌合する内筒と、これらの両筒を伸長方向に突っ張らせる突っ張り手段とからなる。片端突っ張り棒も同様である。突っ張り手段は、両筒に内装されるコイルバネ、あるいは外筒に対して径方向にねじ運動とともに貫通して内筒に圧接される止めねじなどの公知の技術が適用可能である。【０００５】  次に片端突っ張り棒は、両端突っ張り棒の長寸方向に沿って摺動可能で高さを自在に変更することができる。そして、所望の位置で突っ張らせることにより、両端突っ張り棒と第三面から第六面のいずれかとから受ける抗力にて固定される。従って、片端突っ張り棒の圧接部側に両端突っ張り棒が無くても良いし、圧接部側の上下面は平坦でなくても良い。圧接部は吸盤やゴム板などの弾性材料で形成すると良い。
【発明の効果】
【０００６】  片端突っ張り棒の圧接部側即ち先端側に両端突っ張り棒が無くても良いし、先端側の上下面は平坦でなくても良いことから、狭い隅を有効に活用することができる。また、六面空間において、片端突っ張り棒固定は一方向のみに限定されず、両端突っ張り棒が固定される二方向を除く、最大で四方向への設置が可能である。さらに片端突っ張り棒は、両端突っ張り棒の固定位置を移動させることにより、伸縮範囲内において自由に、幅を設定できる。
【発明を実施するための最良の形態】
【０００７】−実施形態１−
この発明の突っ張り構造の第一の実施形態を図面と共に説明する。図１は実施形態に係る突っ張り構造を示す斜視図である。
この構造は、１本の両端突っ張り棒１、２本の片端突っ張り棒２、３からなる。両端突っ張り棒１は、径大の外筒１ａ、及び外筒１ａよりも径小の内筒１ｂを備える。外筒１ａ及び内筒１ｂの各一端にはゴム盤１ｃ、１ｄが取り付けられ、外筒１ａと内筒１ｂとはこれらのゴム盤１ｃ、１ｄが取り付けられていない端部同士で互いに嵌合される。外筒１ａ内にはコイルバネ（図示省略）が挿入されており、その一端は外筒１ａ内のゴム盤１ｃ側端部に固定され、他端は内筒１ｂ内に挿入されている。そして、内筒１ｂの内周面にコイルバネに係るように径方向にピンが突き出ており、内筒１ｂの回転に伴って、そのピンがコイルバネに案内されて螺旋状に変位するとともに内筒１ｂを軸方向に進退させる。従って、コイルバネに対するピンの位置によって両端突っ張り棒１の長さが定まる。【０００８】  片端突っ張り棒２、３も同様にそれぞれ径大の外筒２ａ、３ａ及び径小の内筒２ｂ、３ｂを備える。外筒２ａ、３ａの両端突っ張り棒１側端部には両端突っ張り棒１との連結具８が取り付けられている。連結具８は、内筒２ｂ、３ｂと直交する両方向に張り出した二又のＴ字形状をなし、それぞれの直交方向に内径が外筒２ａ、３ａの外径より僅かに大きい貫通孔が形成されている。その貫通孔に外筒２ａ、３ａが嵌合することにより、片端突っ張り棒２、３がそれぞれ外筒２ａ、３ａに対して摺動可能に固定されている。内筒２ｂ、３ｂの先端にはそれぞれゴム盤２ｄ、３ｄが取り付けられている。
この突っ張り構造を部屋の隅で使用するときは、両端突っ張り棒１の外筒１ａを下に、内筒１ｂを上にして、内筒１ｂを回転させて全長を延ばし、ゴム盤１ｃ、１ｄをそれぞれ床等の下面及び天井等の上面に圧接して固定する。次に片端突っ張り棒２を所望の高さに移動させ、内筒２ｂを回転させて全長を延ばし、ゴム盤２ｄを壁面に圧接することにより、片端突っ張り棒２を固定する。最後に片端突っ張り棒３を片端突っ張り棒２と同様内筒３ｂを回転させて全長を延ばし、ゴム盤３ｄを壁面に圧接することにより、片端突っ張り棒３を固定する。壁面付近の上下面が平坦ではない場合や、異物が存在していても支障はない。
この四面突っ張り構造は、大容量の衣類等を掛けるハンガーとして利用したり、カーテンなどを吊るして目隠し空間を作ったり、簡易更衣室などとして利用できる。【００９】−実施形態２−
この発明の突っ張り構造の第二の実施形態を図面と共に説明する。図２は第二の実施形態に係る突っ張り構造を示す斜視図である。
この実施形態の突っ張り構造は、実施形態１同様１本の両端突っ張り棒１１、及び２本の片端突っ張り棒１２、１３を備える。外筒１２ａ、１３ａの両端突っ張り棒１１側端部には両端突っ張り棒１１との連結具１８が取り付けられている。連結具１８は、内筒１２ｂ、１３ｂと直交する両方向に張り出した十字形状をなし、それぞれの直交方向に内径が外筒１２ａ、１３ａの外径より僅かに大きい貫通孔が形成されている。【００１０】  この突っ張り構造を部屋で使用するときは、両端突っ張り棒１１の外筒１１ａを下に、内筒１１ｂを上にして、内筒１１ｂを回転させて全長を延ばし、ゴム盤１１ｃ、１１ｄをそれぞれ床等の下面及び天井等の上面に圧接して固定する。次に片端突っ張り棒１２を所望の高さに移動させ、内筒１２ｂを回転させて全長を延ばし、ゴム盤１２ｄを壁面に圧接することにより、片端突っ張り棒１２を固定する。最後に片端突っ張り棒１３を片端突っ張り棒１２と同様内筒１３ｂを回転させて全長を延ばし、ゴム盤１３ｄを壁面に圧接することにより、片端突っ張り棒１３を固定する。壁面付近の上下面が平坦ではない場合や、異物が存在していても支障はない。
この四面突っ張り構造は、広空間において水平方向の両端突っ張り棒が届かない場合などには、中間に位置する鉛直方向への両端突っ張り棒が支柱となり継ぎ手を介して２本の片端突っ張り棒を支えることとなるため、大容量の衣類等を掛けるハンガーとして利用したり、カーテンなどを吊るして目隠し空間を作ったり、仕切り板などを取り付けて部屋の間仕切りなどとして利用できる。【００１１】−実施形態３−
この発明の突っ張り構造の第三の実施形態を図面と共に説明する。図３は第三の実施形態に係る突っ張り構造を示す斜視図である。
この実施形態の突っ張り構造は、１本の両端突っ張り棒２１、及び３本の片端突っ張り棒２２、２３、２４を備える。外筒２２ａ、２３ａ、２４ａの両端突っ張り棒２１側端部には両端突っ張り棒２１との連結具２８が取り付けられている。連結具２８は、内筒２２ｂ、２３ｂ、２４ｂと直交する３方向に張り出した筒を持つ形状をなし、それぞれの直交方向に内径が外筒２２ａ、２３ａ、２４ａの外径より僅かに大きい貫通孔が形成されている。【００１２】  この突っ張り構造を部屋で使用するときは、両端突っ張り棒２１の外筒２１ａを下に、内筒２１ｂを上にして、内筒２１ｂを回転させて全長を延ばし、ゴム盤２１ｃ、２１ｄをそれぞれ床等の下面及び天井等の上面に圧接して固定する。次に片端突っ張り棒２２を所望の高さに移動させ、内筒２２ｂを回転させて全長を延ばし、ゴム盤２２ｄを壁面に圧接することにより、片端突っ張り棒２２を固定する。次に片端突っ張り棒２３の内筒２３ｂを回転させて全長を延ばし、ゴム盤２３ｄを壁面に圧接することにより、片端突っ張り棒２３を固定する。最後に片端突っ張り棒２４を片端突っ張り棒２２、２３と同様内筒２４ｂを回転させて全長を延ばし、ゴム盤２４ｄを壁面に圧接することにより、片端突っ張り棒２４を固定する。壁面付近の上下面が平坦ではない場合や、異物が存在していても支障はない。
この五面突っ張り構造は、衣料品店などの大容量の衣類等の陳列用ハンガーとして利用したり、カーテンなどを吊るして目隠し空間を作ったり、仕切り板などを取り付けて部屋の間仕切りなどとして利用できる。【００１３】−実施形態４−
この発明の突っ張り構造の第四の実施形態を図面と共に説明する。図４は第四の実施形態に係る突っ張り構造を示す斜視図である。
この実施形態の突っ張り構造は、１本の両端突っ張り棒３１、及び４本の片端突っ張り棒３２、３３、３４、３５を備える。外筒３２ａ、３３ａ、３４ａ、３５ａの両端突っ張り棒３１側端部には両端突っ張り棒３１との連結具３８が取り付けられている。連結具３８は、内筒３２ｂ、３３ｂ、３４ｂ、３５ｂと直交する４方向に張り出した筒を持つ形状をなし、それぞれの直交方向に内径が外筒３２ａ、３３ａ、３４ａ、３５ａの外径より僅かに大きい貫通孔が形成されている。【００１４】  この突っ張り構造を部屋で使用するときは、両端突っ張り棒３１の外筒３１ａを下に、内筒３１ｂを上にして、内筒３１ｂを回転させて全長を延ばし、ゴム盤３１ｃ、３１ｄをそれぞれ床等の下面及び天井等の上面に圧接して固定する。次に片端突っ張り棒３２を所望の高さに移動させ、内筒３２ｂを回転させて全長を延ばし、ゴム盤３２ｄを壁面に圧接することにより、片端突っ張り棒３２を固定する。次に片端突っ張り棒３３，３４，３５それぞれの内筒３３ｂ、３４ｂ、３５ｂを回転させて全長を延ばし、ゴム盤３３ｄ、３４ｄ、３５ｄを壁面に圧接することにより、片端突っ張り棒３３，３４，３５を固定する。壁面付近の上下面が平坦ではない場合や、異物が存在していても支障はない。
この六面突っ張り構造は、衣料品店などの空間全体に突っ張り棒を張り巡らせることにより、大容量の衣類等の陳列用ハンガーとして利用したり、カーテンなどを吊るして目隠し空間を作ったり、仕切り板などを取り付けて部屋の間仕切りなどとして利用できる。
【図面の簡単な説明】
【００１５】
【図１】実施形態１の四面突っ張り構造を示す斜視図である。
【図２】実施形態２の四面突っ張り構造を示す斜視図である。
【図３】実施形態３の五面突っ張り構造を示す斜視図である。
【図４】実施形態４の六面突っ張り構造を示す斜視図である。
【符号の説明】
【００１６】１、１１、２１、３１  両端突っ張り棒
２、３、１２、１３、２２，２３，２４、３２，３３，３４，３５  片端突っ張り棒
８、１８、２８、３８  連結具
【図１】
2005342488.tif 000003
【図２】
2005342488.tif 000004
【図３】
2005342488.tif 000005
【図４】
2005342488.tif 000006